(57)【要約】【課題】カウンターウエイトの昇降時に、カウンターウエイトに設置した発電機から安定的に電力を得る。【解決手段】エレベータ１００は、搬器１０２の昇降に応じて昇降するカウンターウエイト１０と、カウンターウエイト１０の昇降路に沿って配されたガイドレール１１８と、カウンターウエイト１０に回転自在に設けられ、ガイドレール１１８を把持するガイドローラ２２、２４及びガイドローラ３２、３４と、ガイドローラ２２、３２に連結され、ガイドローラ２２の回転力で発電するハブダイナモと、を備える。【選択図】図６
2012025561.tif 000002
【特許請求の範囲】
【請求項１】
搬器の昇降に応じて昇降するカウンターウエイトと、
前記カウンターウエイトの昇降路に沿って配されたレールと、
前記カウンターウエイトに回転自在に設けられ、前記レールを把持するローラ対と、
前記ローラ対の少なくとも一方のローラに連結され、当該ローラの回転力で発電する発電機と、
を備える昇降機。
【請求項２】
前記ローラ対の軸心間距離は一定であり、
前記ローラ対の少なくとも一方のローラは、弾性変形可能なローラであって、弾性変形した状態で前記レールに当接する請求項１に記載の昇降機。
【請求項３】
前記ローラ対の少なくとも一方のローラは、前記カウンターウエイトに固定された軸に回転自在に支持され、
前記発電機は、
前記軸に固定されたコイルと、
前記軸に回転自在に支持され、前記軸に支持された前記ローラに連結された磁石と、
を有する請求項１又は請求項２に記載の昇降機。
【請求項４】
搬器の昇降に応じて昇降するカウンターウエイトと、前記カウンターウエイトの昇降路に沿って配されたレールとを備える昇降機で用いられるカウンターウエイト用の発電装置であって、
前記カウンターウエイトに回転自在に装着されて、前記レールを把持するローラ対と、
前記ローラ対の少なくとも一方のローラに連結され、当該ローラの回転力で発電する発電機と、
を備えるカウンターウエイト用の発電装置。
【請求項５】
搬器の昇降に応じて昇降するカウンターウエイトと、前記カウンターウエイトの昇降路に沿って配されたレールと、前記レールを間に置いて対向するローラ対とを備える昇降機における発電方法であって、
前記ローラ対で前記レールを把持し、前記ローラ対の少なくとも一方のローラの回転力で発電する発電方法。
【発明の詳細な説明】
【技術分野】
【０００１】
本発明は、昇降機、カウンターウエイト用の発電装置、及び発電方法に関する。
【背景技術】
【０００２】
搬器の昇降に応じて昇降するカウンターウエイトに発電機と、該発電機により発生された電力で作動する警報装置とを設けた昇降機が知られている（例えば、特許文献１参照）。この昇降機では、カウンターウエイトの昇降路に沿ってガイドレールが配置され、カウンターウエイトには、ガイドレールを間に置いて対向する一対のガイドローラが設けられている。この一対のガイドローラは、カウンターウエイトの揺動を制限する目的で設けられており、磨耗や騒音を抑えるべくローラとされると共に、ガイドレールに対してクリアランスが確保されるように配置されるものである。即ち、一対のガイドローラは、カウンターウエイトの昇降時に常に回転しているものではない。
【０００３】
また、上記昇降機では、揺動可能にカウンターウエイトに支持された駆動ホイールが、コイルバネの弾性力によりガイドレールに圧接されており、上記発電機は、駆動ホイールによって駆動される回転子を有する。
【先行技術文献】
【特許文献】
【０００４】
【特許文献１】特開２００８―５６４１１号公報
【発明の概要】
【発明が解決しようとする課題】
【０００５】
特許文献１記載の昇降機では、駆動ホイールが、カウンターウエイトに揺動可能に支持され、また、カウンターウエイトは昇降時に上記クリアランスの分だけ振動することから、カウンターウエイトの昇降時に、駆動ホイールをガイドレールに圧接させた状態を維持することが難しく、駆動ホイールが常時回転する状態に維持することが難しい。これにより、発電機から安定的に電力を得ることが難しく、警報装置を安定的に動作させることが難しい。
【０００６】
本発明は、上記事情に鑑みてなされたものであり、カウンターウエイトの昇降時に、カウンターウエイトに設置した発電機から安定的に電力を得ることができる、昇降機、カウンターウエイト用の発電装置、及び発電方法を提供するものである。
【課題を解決するための手段】
【０００７】
上記課題を解決するために、本発明に係る昇降機は、搬器の昇降に応じて昇降するカウンターウエイトと、前記カウンターウエイトの昇降路に沿って配されたレールと、前記カウンターウエイトに回転自在に設けられ、前記レールを把持するローラ対と、前記ローラ対の少なくとも一方のローラに連結され、当該ローラの回転力で発電する発電機と、を備える。
【０００８】
上記昇降機において、前記ローラ対の軸心間距離は一定であってもよく、前記ローラ対の少なくとも一方のローラは、弾性変形可能なローラであって、弾性変形した状態で前記レールに当接してもよい。
【０００９】
上記昇降機において、前記ローラ対の少なくとも一方のローラは、前記カウンターウエイトに固定された軸に回転自在に支持されてもよく、前記発電機は、前記軸に固定されたコイルと、前記軸に回転自在に支持され、前記軸に支持された前記ローラに連結された磁石と、を有してもよい。
【００１０】
上記課題を解決するために、本発明に係るカウンターウエイト用の発電装置は、搬器の昇降に応じて昇降するカウンターウエイトと、前記カウンターウエイトの昇降路に沿って配されたレールとを備える昇降機で用いられるカウンターウエイト用の発電装置であって、前記カウンターウエイトに回転自在に装着されて、前記レールを把持するローラ対と、前記ローラ対の少なくとも一方のローラに連結され、当該ローラの回転力で発電する発電機と、を備える。
【００１１】
上記課題を解決すために、本発明に係る発電方法は、搬器の昇降に応じて昇降するカウンターウエイトと、前記カウンターウエイトの昇降路に沿って配されたレールと、前記レールを間に置いて対向するローラ対とを備える昇降機における発電方法であって、前記ローラ対で前記レールを把持し、前記ローラ対の少なくとも一方のローラの回転力で発電する。
【発明の効果】
【００１２】
本発明によれば、カウンターウエイトの昇降時に、カウンターウエイトに設置した発電機から安定的に電力を得ることができる。
【図面の簡単な説明】
【００１３】
【図１】一実施形態に係るエレベータの構成の概略を示す斜視図である。
【図２】一実施形態に係るエレベータを示す平面断面図である。
【図３】一実施形態に係るエレベータを示す立面図である。
【図４】一実施形態に係るエレベータを示す側面図である。
【図５】カウンターウエイト及びマストを示す立面図である。
【図６】カウンターウエイト及びマストを示す側面図である。
【図７】ガイドローラユニットを拡大して示す平面断面図である。
【図８】ガイドローラユニットを拡大して示す平面断面図である。
【図９】ガイドローラユニットを拡大して示す側断面図である。
【発明を実施するための形態】
【００１４】
以下、本発明の一実施形態を、図面を参照しながら説明する。図１は、一実施形態に係るエレベータ１００の構成の概略を示す斜視図である。なお、以下の説明では、エレベータ１００の扉１２６側を前側、その反対側を後側、前側から見て左側及び右側をそれぞれ左側及び右側と称する。
【００１５】
図１に示すように、エレベータ１００は、搬器１０２と、搬器１０２の昇降を案内する左右一対のガイドレール１０４と、左右一対のカウンターウエイト１０と、左右一対のカウンターウエイト１０を昇降可能に支持するマスト１０６と、搬器１０２と左右一対のカウンターウエイト１０とを懸架する左右一対のワイヤー１０８及び左右一対のトップシーブ１１０とを備えている。
【００１６】
左右一対のガイドレール１０４は、搬器１０２の背面側に設置されており、搬器１０２の背面には、左右一対のガイドレール１１２の間に配されてこれらに上下方向への移動を案内されるガイド１１４が設けられている。また、マスト１０６は、ガイドレール１０４を挟んで搬器１０２の反対側に設置されており、マスト本体１１６と、その両側に設置された左右一対のガイドレール１１８とを備えている。各カウンターウエイト１０は、ガイドレール１１８に沿って昇降する。
【００１７】
各ワイヤー１０６の一端は搬器１０２の上面に固定され、各ワイヤー１０６の他端は各カウンターウエイト１０に固定されている。左右一対のトップシーブ１１０は、マスト１０６の上側に設置されており、各トップシーブ１１０には各ワイヤー１０６が巻き掛けられている。左右一対のトップシーブ１１０が不図示の巻上げ機により回転されることにより、搬器１０２が上昇してカウンターウエイト１０が下降し、搬器１０２が下降してカウンターウエイト１０が上昇する。
【００１８】
また、搬器１０２には、電源ケーブル１２０が接続されている。この電源ケーブル１２０は、搬器１０２がエレベータ１００の最下部まで下降した状態で、中継ボックス１２２からエレベータ１００の最下部まで吊り下がった状態となる。そして、電源ケーブル１２０は、搬器１０２が上昇すると、搬器１０２により引き上げられる。これにより、電源ケーブル１２０には、搬器１０２の昇降による負荷がかからないようになっている。
【００１９】
図２は、エレベータ１００を示す平面断面図である。この図に示すように、エレベータ１００は、四方を各階の梁１２４で囲まれており、エレベータ１００の搬器１０２やカウンターウエイト１０やガイドレール１０４やマスト１０６等は、密集して配されている。また、エレベータ１００の背面側には、不図示の耐震壁が配されており、マスト１０６が壁つなぎ１３０（図４参照）により梁に結合されている。
【００２０】
ここで、エレベータ１００の背面側では、カウンターウエイト１０等が密集して配されると共に、壁つなぎ１３０等が存在することから、搬器１０２と同様にしてカウンターウエイト１０に電源ケーブルを接続することは困難である。このため、後述するように、カウンターウエイト１０に発電機を設置し、発電機により得られる電力で、カウンターウエイト１０に搭載された機器を作動させる。
【００２１】
図３は、エレベータ１００を示す立面図である。この図に示すように、エレベータ１００の最上部には、一対のトップシーブ１１０を支持するフレーム１３２が配されている。このトップシーブ１１０は、上記梁に不図示の壁つなぎにより結合されている。また、フレーム１３２の下側には、マスト１０６が配されている。マスト１０６のマスト本体１１６は、その下端部を建物の基礎に固定されて上下方向に延びている。
【００２２】
また、マスト本体１１６の左右両側に配された左右一対のガイドレール１１８は、その下端を建物の基礎に固定され、その上端をマスト本体１１６の上端に固定されている。また、カウンターウエイト１０には、上下方向に配された複数のガイドローラユニット２０、３０が設けられている。ガイドローラユニット２０、３０は、カウンターウエイト１０の上下両端とその間に設けられている。
【００２３】
図４は、エレベータ１００を示す側面図である。この図に示すように、マスト１０６のマスト本体１１６には、上下方向に配された複数の壁つなぎ１３０が設けられている。複数の壁つなぎ１３０は、マスト本体１１６を梁に結合している。
【００２４】
図５は、カウンターウエイト１０及びマスト１０６を示す立面図である。また、図６は、カウンターウエイト１０及びマスト１０６を示す側面図である。これらの図に示すように、ガイドローラユニット２０は、カウンターウエイト１０の上下両端とその間に、前後一対ずつ設けられている。各ガイドローラユニット２０は、左右一対のガイドローラ２２、２４（図７参照、即ち、ローラ対）でガイドレール１１８を把持する。また、各ガイドローラユニット３０は、ガイドローラユニット２０の近傍に配されており、前後一対のガイドローラ３２、３４（図７参照、即ち、ローラ対）でガイドレール１１８を把持する。
【００２５】
また、カウンターウエイト１０の上部及び下部には、警告灯１２が設けられている。警告灯１２は、ＬＥＤ照明もしくはキセノン電子点滅灯であり、後述の発電機２５、３５で発生した電力により作動されて、ＬＥＤ照明もしくはキセノンバルブを点滅させる。
【００２６】
図７及び図８は、ガイドローラユニット２０、３０を拡大して示す平面断面図である。また、図９は、ガイドローラユニット２０、３０を拡大して示す側断面図である。なお、図７は図９の７−７断面図であり、図８は図９の８−８断面図である。これらの図に示すように、ガイドローラユニット２０は左右一対のガイドローラ２２、２４を備え、ガイドローラユニット３０は前後一対のガイドローラ３２、３４を備えている。
【００２７】
ガイドレール１１８は、左右方向を厚み方向、前後方向を幅方向として上下方向に延びる板状の部材であり、前後方向両端には、上下方向に延びる円柱形状のガイドポール１１８Ａ、１１８Ｂが設けられている。ガイドローラ３２は、ガイドポール１１８Ａに当接し、ガイドローラ３４は、ガイドポール１１８Ｂに当接している。また、一方のガイドローラユニット２０のガイドローラ２２、２４がガイドポール１１８Ａに当接し、他方のガイドローラユニット２０のガイドローラ２２、２４がガイドポール１１８Ｂに当接している。
【００２８】
ガイドローラ２２、３２は、金属製の軸受部２２Ａ、３２Ａと、その外周に設けられたウレタン製のローラ部２２Ｂ、３２Ｂとで構成されている。一方、ガイドローラ２４、３４は、金属製の軸受部２４Ａ、３４Ａと、その外周に設けられたゴム製のローラ部２４Ｂ、３４Ｂとで構成されている。ローラ部２２Ｂ、２４Ｂ、３２Ｂ、３４Ｂは、中凹のクラウン形状に形成されており、その外周面は、ガイドポール１１８Ａ、１１８Ｂとは凹凸関係にある。
【００２９】
ここで、ガイドローラ２２とガイドローラ２４との軸間距離は一定であり、ローラ部２２Ｂとローラ部２４Ｂとの最も凹んだ部分同士の間隔は、ガイドポール１１８Ａ、１１８Ｂの直径より短く設定されている。これにより、ゴム製のローラ部２４Ｂは弾性変形した状態でガイドポール１１８Ａ、１１８Ｂに当接し、ウレタン製のローラ部２２Ｂもガイドポール１１８Ａ、１１８Ｂに当接する。従って、ローラ部２２Ｂとローラ部２４Ｂとが、ガイドポール１１８Ａ、１１８Ｂを把持した状態（しっかりと挟み持った状態）が、常時維持される。
【００３０】
また、ガイドローラ３２とガイドローラ３４との軸間距離は一定であり、ローラ部３２Ｂとローラ部３４Ｂとの最も凹んだ部分同士の間隔は、ガイドレール１１８の幅よりも狭く設定されている。これにより、ゴム製のローラ部３４Ｂは弾性変形した状態でガイドポール１１８Ｂに当接し、ウレタン製のローラ部３２Ｂもガイドポール１１８Ａに当接する。従って、ローラ部３２Ｂとローラ部３４Ｂとが、ガイドレール１１８を把持した状態（しっかりと挟み持った状態）が、常時維持される。
【００３１】
図７及び図９に示すように、ガイドローラユニット３０は、ガイドローラ３２、３４の軸受部３２Ａ、３４Ａにそれぞれ挿通された軸３１Ａ、３１Ｂと、軸３１Ａ、３１Ｂがそれぞれ固定されたフレーム３３Ａ、３３Ｂと、軸３１Ａに支持されたハブダイナモ３５とを備えている。即ち、ガイドローラ３２、３４はそれぞれ、軸３１Ａ、３１Ｂに回転自在に支持されている。
【００３２】
ハブダイナモ３５は、軸３１Ａに固定されたコイル３５Ａと、軸３１Ａに回転自在に支持されたハブ３５Ｂと、ハブ３５Ｂの内周面に固定された磁石３５Ｃとを備えている。ここで、ハブ３５Ｂは、棒状の連結部材３７により、ガイドローラ３２の軸受部３２Ａに連結されている。また、コイル３５Ａは、配線３８により警告灯１２に接続されている。このため、ガイドローラ３２が回転すると、ハブ３５Ｂが回転し、磁石３５Ｃがコイル３５Ａの周りで回転する。これにより、ハブダイナモ３５は、電磁誘導によって発電し、発生した電力で警告灯１２が作動される。
【００３３】
また、図８及び図９に示すように、ガイドローラユニット２０は、ガイドローラ２２、２４の軸受部２２Ａ、２４Ａにそれぞれ挿通された軸２１Ａ、２１Ｂと、軸２１Ａ、２１Ｂがそれぞれ固定されたフレーム２３Ａ、２３Ｂと、軸２１Ａに支持されたハブダイナモ２５とを備えている。即ち、ガイドローラ２２、２４はそれぞれ、軸２１Ａ、２１Ｂに回転自在に支持されている。
【００３４】
ハブダイナモ２５は、軸２１Ａに固定されたコイル２５Ａと、軸２１Ａに回転自在に支持されたハブ２５Ｂと、ハブ２５Ｂの内周面に固定された磁石２５Ｃとを備えている。ここで、ハブ２５Ｂは、棒状の連結部材２７により、ガイドローラ２２の軸受部２２Ａに連結されている。また、コイル２５Ａは、配線２８により警告灯１２に接続されている。このため、ガイドローラ２２が回転すると、ハブ２５Ｂが回転し、磁石２５Ｃがコイル２５Ａの周りで回転する。これにより、ハブダイナモ２５は、電磁誘導によって発電し、発生した電力で警告灯１２が作動される。
【００３５】
ここで、ガイドローラユニット２０において、ガイドローラ２２、２４がガイドレール１１８を把持した状態が、常時維持されている。また、ガイドローラユニット３０においては、ガイドローラ３２、３４がガイドレール１１８を把持した状態が、常時維持されている。これにより、カウンターウエイト１０が昇降した際、確実に、ハブダイナモ２５、３５が接続されたガイドローラ２２、３２を回転させて、ハブダイナモ２５、３５から電力を得ることができ、警告灯１２を作動させることができる。
【００３６】
また、ウレタン製のガイドローラ２２、３２が、ゴム製のガイドローラ２４、３４と比してガイドレール１１８との摩擦抵抗が小さく回転し易いところ、ハブダイナモ２５、３５は、ウレタン製のガイドローラ２２、３２に接続されている。従って、カウンターウイと１０が昇降した際、より確実に、ハブダイナモ２５、３５から電力を得ることができ、警告灯１２を作動させることができる。
【００３７】
また、ガイドローラユニット２０において、ガイドローラ２２を回転自在に支持する軸２１Ａをフレーム２３Ａに固定し、この軸２１Ａに、磁石２５Ｃが固定されたハブ２５Ｂを回転自在に取り付け、ハブ２５Ｂを連結部材２７によりガイドローラ２２に連結している。同様に、ガイドローラユニット３０において、ガイドローラ３２を回転自在に支持する軸３１Ａをフレーム３３Ａに固定し、この軸３１Ａに、磁石３５Ｃが固定されたハブ３５Ｂを回転自在に取り付け、ハブ３５Ｂを連結部材３７によりガイドローラ３２に連結している。
【００３８】
これにより、コイル２５Ａを固定状態の軸２１Ａに、コイル３５Ａを固定状態の軸３１Ａにそれぞれ固定することができ、固定状態のコイル２５Ａ、３５Ａにそれぞれ配線２８、３８を接続することができる。従って、コイル２５Ａ、３５Ａが回転する場合と比して、配線２８、３８の構成を簡素化でき、コストを低減できる。
【００３９】
なお、本実施形態では、発電機としてハブダイナモ２５、３５を用いたが、リブダイナモ等の他の発電機も適用できる。また、本実施形態では、一対のガイドローラ２２、２４の一方にハブダイナモ２５を連結し、一対のガイドローラ３２、３４の一方にハブダイナモ３５を連結した。しかし、一対のガイドローラ２２、２４の双方にハブダイナモ２５を連結し、一対のガイドローラ３２、３４の双方にハブダイナモ３５を連結してもよい。また、本実施形態では、全てのガイドローラユニット２０、３０にハブダイナモを設けたが必須ではない。
【００４０】
また、本実施形態では、一対のガイドローラ２２、２４の一方、及び一対のガイドローラ３２、３４の一方をゴム製の弾性変形可能なローラとし、他方をウレタン製の弾性変形不能なローラとしたが、双方をゴム製等の弾性変形可能なローラとしてもよい。また、本実施形態では、発電機に連結されたローラを、カウンターウエイト１０の昇降を案内するガイドローラ２２、３２としたが、該ローラに、カウンターウエイト１０の昇降を案内させることは必須ではない。
【００４１】
また、本実施形態では、カウンターウエイト１０に警告灯１２を設置し、ハブダイナモ２５、３５から得られた電力で、この警告灯１２を作動させた。しかし、カウンターウエイト１０に設置した発電機で得られた電力の使用方法はこれに限らず、例えば、警告音発生装置を作動させてもよく、または、照明装置を作動させてもよく、さらには、人感センサー等を作動させてもよい。
【符号の説明】
【００４２】
１０  カウンターウエイト、１２  警告灯、２０ガイドローラユニット、２１Ａ、２１Ｂ軸、２２、２４  ガイドローラ（ローラ）、２３Ａ、２３Ｂ  フレーム、２５  ハブダイナモ（発電機）、２５Ａ  コイル、２５Ｂ  ハブ、２５Ｃ  磁石、２７  連結部材、２８  配線、３０  ガイドローラユニット、３１Ａ、３１Ｂ  軸、３２、３４  ガイドローラ（ローラ）、３３Ａ、３３Ｂ  フレーム、３５  ハブダイナモ（発電機）、３５Ａ  コイル、３５Ｂ  ハブ、３５Ｃ  磁石、３７  連結部材、３８  配線、１００  エレベータ、１０２  搬器、１０４  ガイドレール、１０６  マスト、１０８  ワイヤー、１１０  トップシーブ、１１４  ガイド、１１６  マスト本体、１１８  ガイドレール（レール）、１２０  電源ケーブル、１２２  中継ボックス、１２４  梁、１２６  扉、１２８  耐震壁、１３０  壁つなぎ、１３２  フレーム
【図１】
2012025561.tif 000003
【図２】
2012025561.tif 000004
【図３】
2012025561.tif 000005
【図４】
2012025561.tif 000006
【図５】
2012025561.tif 000007
【図６】
2012025561.tif 000008
【図７】
2012025561.tif 000009
【図８】
2012025561.tif 000010
【図９】
2012025561.tif 000011